(57)【要約】【課題】簡易な構成で、小型化に有利であり、通常の撮影と、近距離で高解像度でのデータシンボルの読み取りとを行うことができる撮像装置を提供する。【解決手段】撮像装置は、通常撮影モードとデータシンボル読み取りモードとを有する。撮像装置の撮影レンズ６は、第１のレンズ部６１と、この外周部に設けられた略円環状の第２のレンズ部６２とを有するレンズ本体６０と、第１のレンズ部６１に設けられ、近赤外光を透過する光学フィルタである第１の膜６４と、第２のレンズ部６２に設けられ、可視光を透過する光学フィルタである第２の膜６５とで構成されている。第１のレンズ部６１は、データシンボルの読み取りの際に用いられる。第２のレンズ部６２は、その焦点距離ｆ２が第１のレンズ部６１の焦点距離ｆ１より長く設定されており、通常の撮影の際に用いられる。【選択図】図３
2005027105.tif 000002
【特許請求の範囲】
【請求項１】
被写体の像を形成する撮影光学系と、該撮影光学系による像形成位置に配置された受光面を有する撮像部とを備え、通常の撮影を行う通常撮影モードと、データシンボルの読み取りを行うデータシンボル読み取りモードとを有する撮像装置であって、
前記撮影光学系は、データシンボルの読み取りの際に用いられ、第１の焦点距離を持つ第１のレンズ部と、
通常の撮影の際に用いられ、前記第１のレンズ部の外周側に設けられ、前記第１の焦点距離よりも長い第２の焦点距離を持つ第２のレンズ部と、
前記第１のレンズ部に設けられ、第１の波長帯域の光を透過する第１のフィルタと、
前記第２のレンズ部に設けられ、第２の波長帯域の光を透過する第２のフィルタとを有することを特徴とする撮像装置。
【請求項２】
前記第２のレンズ部は、環状をなしている請求項１に記載の撮像装置。
【請求項３】
前記第１のレンズ部と前記第２のレンズ部とが一体的に形成されている請求項１または２に記載の撮像装置。
【請求項４】
前記第１のレンズ部の領域は、前記第２のレンズ部の領域より小さい請求項１ないし３のいずれかに記載の撮像装置。
【請求項５】
前記第１のレンズ部の光軸と、前記第２のレンズ部の光軸とが、略一致する請求項１ないし４のいずれかに記載の撮像装置。
【請求項６】
前記第１の波長帯域は、近赤外域である請求項１ないし５のいずれかに記載の撮像装置。
【請求項７】
前記第２の波長帯域は、可視光域である請求項１ないし６のいずれかに記載の撮像装置。
【請求項８】
前記第１の波長帯域の光を発するストロボ装置を有する請求項１ないし７のいずれかに記載の撮像装置。
【請求項９】
データシンボルの読み取りの際は、前記ストロボ装置から前記第１の波長帯域の光が発せられる請求項８に記載の撮像装置。
【請求項１０】
前記ストロボ装置は、ＬＥＤで構成されている請求項８または９に記載の撮像装置。
【請求項１１】
前記ＬＥＤの連続点灯により前記第１の波長帯域の光を照射する請求項１０に記載の撮像装置。
【請求項１２】
被写体までの距離を検出する検出手段と、
前記検出手段の検出結果に基づいて、前記通常撮影モードと、前記データシンボル読み取りモードとのうちの一方を選択し、そのモードに設定するモード設定手段とを有する請求項１ないし１１のいずれかに記載の撮像装置。
【発明の詳細な説明】
【０００１】
【発明の属する技術分野】
本発明は、撮像装置に関するものである。
【０００２】
【従来の技術】
携帯電話等、小型携帯端末のパンフォーカスを採用した撮像装置において、例えばバーコードや２次元コード等のデータシンボル（コード）を読み取ることが可能な装置が知られている。
【０００３】
しかしながら、この撮像装置では、近距離、例えば約１０ｃｍ程度までピントが合う範囲に入れることは困難である。このため、データシンボルの読み取りにおいて、十分な解像度を得ることができず、読み取ることのできるデータシンボルのデータ量を多くすることができない。
【０００４】
また、レンズを移動して、レンズ構成を変更することにより、通常の撮影と、マクロ撮影とを切り換えることができる撮像装置も知られている（例えば、特許文献１参照）。
【０００５】
しかしながら、前記特許文献１に記載されている撮像装置では、レンズを移動させる機構が必要であり、これにより、構造が複雑化し、また、装置全体が大型化してしまう。
【０００６】
【特許文献１】
特開２００２−１０７６１２号公報
【０００７】
【発明が解決しようとする課題】
本発明の目的は、簡易な構成で、小型化に有利であり、通常の撮影と、近距離で高解像度でのデータシンボルの読み取りとを行うことができる撮像装置を提供することにある。
【０００８】
【課題を解決するための手段】
このような目的は、下記（１）〜（１２）の本発明により達成される。
【０００９】
（１）  被写体の像を形成する撮影光学系と、該撮影光学系による像形成位置に配置された受光面を有する撮像部とを備え、通常の撮影を行う通常撮影モードと、データシンボルの読み取りを行うデータシンボル読み取りモードとを有する撮像装置であって、
前記撮影光学系は、データシンボルの読み取りの際に用いられ、第１の焦点距離を持つ第１のレンズ部と、
通常の撮影の際に用いられ、前記第１のレンズ部の外周側に設けられ、前記第１の焦点距離よりも長い第２の焦点距離を持つ第２のレンズ部と、
前記第１のレンズ部に設けられ、第１の波長帯域の光を透過する第１のフィルタと、
前記第２のレンズ部に設けられ、第２の波長帯域の光を透過する第２のフィルタとを有することを特徴とする撮像装置。
これにより、通常の撮影と、データシンボル（コード）の読み取りとを、それぞれ、確実に行うことができ、特に、近距離で高解像度でのデータシンボルの読み取りを行うことができる。
また、撮影光学系を移動させる機構を設ける必要がないので、構成が簡易であり、また、小型化を図ることができる。
【００１０】
（２）  前記第２のレンズ部は、環状をなしている上記（１）に記載の撮像装置。
これにより、撮影光学系の大きさをより小さくすることができ、装置全体の小型化を図ることができる。
【００１１】
（３）  前記第１のレンズ部と前記第２のレンズ部とが一体的に形成されている上記（１）または（２）に記載の撮像装置。
これにより、部品点数を削減することができ、組み付けを容易に行うことができる。
【００１２】
（４）  前記第１のレンズ部の領域は、前記第２のレンズ部の領域より小さい上記（１）ないし（３）のいずれかに記載の撮像装置。
これにより、第１のレンズ部における被写界深度を深く（広く）することができ、より確実にデータシンボルの読み取りを行うことができる。
【００１３】
（５）  前記第１のレンズ部の光軸と、前記第２のレンズ部の光軸とが、略一致する上記（１）ないし（４）のいずれかに記載の撮像装置。
これにより、小型化を図ることができる。
【００１４】
（６）  前記第１の波長帯域は、近赤外域である上記（１）ないし（５）のいずれかに記載の撮像装置。
これにより、赤外光照明と筐体による可視光抑制により、確実に、データシンボルの読み取りを行うことができる。
【００１５】
（７）  前記第２の波長帯域は、可視光域である上記（１）ないし（６）のいずれかに記載の撮像装置。
これにより、赤外光照明と筐体による可視光抑制により、確実に、データシンボルの読み取りを行うことができる。
【００１６】
（８）  前記第１の波長帯域の光を発するストロボ装置を有する上記（１）ないし（７）のいずれかに記載の撮像装置。
これにより、第１のレンズ部の領域を小さくすることができ、第１のレンズ部における被写界深度を深く（広く）することができ、これによって、より確実に、データシンボルの読み取りを行うことができる。
また、赤外光照明と筐体による可視光抑制により、確実に、データシンボルの読み取りを行うことができる。
【００１７】
（９）  データシンボルの読み取りの際は、前記ストロボ装置から前記第１の波長帯域の光が発せられる上記（８）に記載の撮像装置。
これにより、第１のレンズ部の領域を小さくすることができ、第１のレンズ部における被写界深度を深く（広く）することができ、これによって、より確実に、データシンボルの読み取りを行うことができる。
また、赤外光照明と筐体による可視光抑制により、確実に、データシンボルの読み取りを行うことができる。
【００１８】
（１０）  前記ストロボ装置は、ＬＥＤで構成されている上記（８）または（９）に記載の撮像装置。
これにより、ストロボ装置を小型化できる。
【００１９】
（１１）  前記ＬＥＤの連続点灯により前記第１の波長帯域の光を照射する上記（１０）に記載の撮像装置。
これにより、筐体に可視光が遮られた状態において確実にデータシンボルの位置を確認でき、データシンボルを読取範囲（データシンボルの読み取りが可能な領域）に入れることができる。
【００２０】
（１２）  被写体までの距離を検出する検出手段と、
前記検出手段の検出結果に基づいて、前記通常撮影モードと、前記データシンボル読み取りモードとのうちの一方を選択し、そのモードに設定するモード設定手段とを有する上記（１）ないし（１１）のいずれかに記載の撮像装置。
これにより、自動的に、通常撮影モードと、データシンボル読み取りモードとに設定されるので、操作に手間がかからず、また、確実に、適切なモードに切り換えることができる。
【００２１】
【発明の実施の形態】
以下、本発明の撮像装置を添付図面に示す好適実施形態に基づいて詳細に説明する。
【００２２】
ここで、以下の実施形態では、本発明の撮像装置を、電子カメラ（デジタルカメラ）に適用した場合について説明するが、本発明の撮像装置の用途は、これに限定されるものではない。
【００２３】
図１は、本発明の撮像装置の実施形態を示す正面図、図２は、図１に示す撮像装置の回路構成を示すブロック図、図３は、図１に示す撮像装置の光学系を示す断面図である。
【００２４】
これらの図に示す撮像装置１は、撮影モードとして、通常の撮影を行う通常撮影モードと、データシンボル（コード）の読み取りを行うデータシンボル読み取りモードとの２つのモードを有し、通常撮影モードではパンフォーカスを採用した撮像装置である。
【００２５】
図１に示すように、撮像装置１は、箱型のボディー１０を有し、ボディー１０の前面（正面）には、撮影レンズ６、通常撮影用のストロボ装置の発光部１８、データシンボル読み取り用のストロボ装置の発光部２０および１対の測距用の窓部４４、ボディー１０の背面には、図示しないファインダー、ＩＣメモリーカード４０の装填口および表示部１３（図２参照）、ボディー１０の上面には、レリーズスイッチ１２１が、それぞれ設置されている。
【００２６】
この撮像装置１は、ボディー１０内に、図３に示す撮影光学系２を有している。そして、撮影光学系２の後方（図３中下側）の結像位置には、ＣＣＤ（撮像素子）８が設置されている。このＣＣＤ８は、多数の画素が行列状に配置され、各画素のそれぞれが受光光量に応じた電荷を蓄積し、この電荷を所定時に順次転送するように構成されている。
【００２７】
本実施形態の撮像装置１は、カラー画像撮影用の装置であり、ＣＣＤ８としては、例えば、原色カラーフィルターを備えたＣＣＤが用いられている。すなわち、ＣＣＤ８の各画素には、レッド（Ｒ）、グリーン（Ｇ）およびブルー（Ｂ）を取り出すための（透過する）フィルタが各々被せられている。前記レッドを取り出すためのフィルタは、赤色成分のみならず、近赤外光（近赤外域の波長帯域）も透過するようになっている。
【００２８】
通常の撮影においては、ＣＣＤ８のレッド、グリーンおよびブルーを取り出すためのフィルタを有する複数の画素により各画素のＲＧＢ成分が算出される（色補間）。  また、データシンボルの読み取りにおいては、ＣＣＤ８のレッドを取り出すためのフィルタを有する画素のみが画素を構成する。
【００２９】
被写体からの光は、撮影レンズ６を透過し、光学ローパスフィルタ７を経て、ＣＣＤ８の受光面に至る。このようにして、被写体像は、ＣＣＤ８の受光面上に結像する。
【００３０】
撮像装置１における撮像部の主要部は、前記ＣＣＤ８および後述するＣＣＤ駆動回路２１により構成されている。
【００３１】
なお、本発明では、撮像素子として、前記以外の構成のＣＣＤを用いてもよく、また、ＣＣＤ以外の撮像素子を用いてもよい。
【００３２】
次に、撮影光学系２について説明する。
図３に示すように、ボディー１０内には、基板５１が設置されており、基板５１上には、筒状をなす取り付け部５２が設置されている。この取り付け部５２は、ボディー１０に対して固定されている。
【００３３】
基板５１上の取り付け部５２の内側には、ＣＣＤ８が設置されており、また、取り付け部５２には、撮影光学系２が設置されている。この撮影光学系２は、外周部に保持部６３を有する撮影レンズ６と、光学ローパスフィルタ７とで構成されている。
【００３４】
これらＣＣＤ８、光学ローパスフィルタ７および撮影レンズ６は、図３中下側（基板５１側）から上側に向って、この順序で配置されている。
【００３５】
ＣＣＤ８と光学ローパスフィルタ７との間には、環状のスペーサ５４が設けられている。
【００３６】
また、撮影レンズ６の保持部６３は、環状をなす枠部材５３と、取り付け部５２とで挟持され、これにより、撮影レンズ６は、取り付け部５２に固定（保持）される。
【００３７】
撮影レンズ６は、第１のレンズ部６１と、第２のレンズ部６２とを有するレンズ本体６０と、第１の膜（第１のフィルタ）６４と、第２の膜（第２のフィルタ）６５とで構成されている。
【００３８】
第１のレンズ部６１の平面視での形状（図３中上側から見たときの形状）は、略円形をなしている。この第１のレンズ部６１は、データシンボルの読み取りの際に（データシンボル読み取りモードにおいて）用いられ、所定の距離ａ〜ｂまでピントが合うように構成されている。
【００３９】
前記距離（下限値）ａおよび距離（上限値）ｂは、それぞれ、諸条件に応じて適宜決定されるが、距離ａは、例えば、３〜６ｃｍ程度であるのが好ましく、また、距離ｂは、例えば、１０〜１５ｃｍ程度であるのが好ましい。
【００４０】
第２のレンズ部６２の平面視での形状は、略円環状（環状）をなしており、第２のレンズ部６２は、第１のレンズ部６１の外周部（外周側）に設けられている。この第２のレンズ部６２の焦点距離ｆ２は、第１のレンズ部６１の焦点距離ｆ１より長く設定されている。すなわち、第２のレンズ部６２は、通常の撮影の際に（通常撮影モードにおいて）用いられ、所定の距離ｃ〜∞までピントが合うように構成されている。
【００４１】
前記距離（下限値）ｃは、諸条件に応じて適宜決定されるが、例えば、０．５〜０．８ｍ程度であるのが好ましい。
【００４２】
また、第２のレンズ部６２の外周部には、保持部６３が設けられている。これら第１のレンズ部６１、第２のレンズ部６２および保持部６３は、一体的に（１部材で）形成されている。
【００４３】
また、第１のレンズ部６１の光軸と、第２のレンズ部６２の光軸とは、略一致している。
【００４４】
また、第１のレンズ部６１の領域（平面視での面積）は、第２のレンズ部６２の領域より小さく設定されている。
【００４５】
この場合、第１のレンズ部６１の平面視での面積（投影面積）をＳ１、第２のレンズ部６２の平面視での面積をＳ２としたとき、これらの比Ｓ１／Ｓ２は、１／８〜１／１５程度であるのが好ましい。
【００４６】
ここで、第１のレンズ部６１の焦点距離ｆ１は、１．４〜１．８ｍｍ程度であるのが好ましい。
【００４７】
また、第１のレンズ部６１の口径Φ１は、０．８〜１．４ｍｍ程度であるのが好ましい。
【００４８】
また、第２のレンズ部６２の焦点距離ｆ２は、２．４〜３ｍｍ程度であるのが好ましい。
【００４９】
また、第２のレンズ部６２の口径Φ２は３．５〜５ｍｍ程度であるのが好ましい。
【００５０】
本実施形態では、例えば、ＣＣＤサイズ１／７型においては、第１のレンズ部６１として、焦点距離ｆ１が１．６ｍｍ、口径Φ１が１ｍｍ、ＦナンバーがＦ１１のものを用いることができ、第２のレンズ部６２として、焦点距離ｆ２が２．６ｍｍ、口径Φ２が４ｍｍ、ＦナンバーがＦ２．８のものを用いることができる。なお、本発明では、これに限定されないことは、言うまでもない。
【００５１】
前記第１のレンズ部６１および第２のレンズ部６２の焦点距離等の各特性は、それぞれ、例えば、屈折率や曲率等の調整により、所望に設定することができる。
【００５２】
また、前記第１のレンズ部６１のＣＣＤ８側（図３中下側）の表面には、第１の膜６４が設けられている。この第１の膜６４は、第２の膜６５と区別するため、図３中、点線で模式的に示されている。この第１の膜６４としては、本実施形態では、近赤外域（第１の波長帯域）の光（近赤外光）を透過する光学フィルタが用いられている。具体的には、例えば、６５０〜７００ｎｍ程度の波長の光を透過する光学フィルタを用いることができる。
【００５３】
また、前記第２のレンズ部６２のＣＣＤ８側の表面には、第２の膜６５が設けられている。この第２の膜６５は、図３中、実線で模式的に示されている。この第２の膜６５としては、本実施形態では、可視光域（第２の波長帯域）の光（可視光）を透過する光学フィルタが用いられている。具体的には、例えば、４００〜６５０ｎｍ程度の波長の光を透過する光学フィルタを用いることができる。
【００５４】
図４は、図１に示す撮像装置の撮影レンズに設けられる第１の膜および第２の膜の特性を示すグラフである。このグラフでは、横軸に光の波長をとり、縦軸に光の透過率をとる。
【００５５】
本実施形態では、例えば、図４に示す特性を有する第１の膜６４および第２の膜６５を用いることができる。なお、本発明では、これに限定されないことは、言うまでもない。
【００５６】
また、本発明では、撮影レンズ６は、前記の形状のものに限定されない。例えば、図５に示すように、撮影レンズ６のレンズ本体６０の被写体側（図５中上側）を均一な曲率にし、ＣＣＤ８側（図５中下側）がレンズ中央部および周辺部においてそれぞれ前述した図３に示す撮影レンズ６と同等となるように設計することもできる。この場合、第１の膜６４および第２の膜６５は、それぞれ、ＣＣＤ８側（図５中下側）、すなわち、前記曲率を変化させている面に設けられる。
【００５７】
また、本発明では、第１のレンズ部６１と、第２のレンズ部６２とが、別部材で形成されていてもよい。
【００５８】
図６は、データシンボルの構成例を示す平面図である。
図６に示す構成では、データシンボル（コード）３８は、ｘ行×ｙ列（ｘ、ｙは２以上の整数）に配列された黒色または白色（または透明）のモザイクで構成されている。このモザイクの黒色または白色は、例えば２進法における０または１を表し、この組み合わせにより所望の情報が特定される。なお、データシンボル３８は、図示のような構成のものに限定されず、例えば、バーコード等も含まれる。
【００５９】
図２に示すように、撮像装置１は、制御手段１１を有している。この制御手段１１は、通常、マイクロコンピュータ（ＣＰＵ）で構成され、シーケンス制御、測距、露出演算、自動露出の実行、モードの設定、ストロボ駆動等の撮像装置１における諸機能の制御等を行う他、後述するようにデータシンボル３８が表わす情報の解読（デコード）等を行う。なお、解読手段、判別手段およびモード設定手段の主機能は、この制御手段１１により達成される。
【００６０】
制御手段１１には、ＲＡＭ（書き換え可能なメモリー）３５が内蔵されている。
【００６１】
また、制御手段１１には、操作部１２と、報知手段である表示部（表示手段）１３と、ＥＥＰＲＯＭ（書き換え可能な不揮発性メモリー）３２とが接続されている。操作部１２には、例えば、メインスイッチ（電源スイッチ）、レリーズスイッチ１２１、ＩＣメモリーカード４０を排出するためのイジェクトスイッチ等が設けられている。
【００６２】
表示部１３には、例えば、メインスイッチ等のオン／オフの別、撮影の年月日等の情報、ＩＣメモリーカード４０の装填の有無、画像信号を記憶するＩＣメモリーカード４０のメモリー上の領域、ストロボ発光に関する情報、現在の時間等のうちの必要な情報が、例えば、液晶表示素子（ＬＣＤ）や発光素子により表示される。
【００６３】
また、撮像装置１は、電力を供給するための電源回路１４を有している。この電源回路１４には、バッテリー１５が接続され、また、外部電源回路１６に接続するための端子が設けられている。
【００６４】
また、撮像装置１は、制御手段１１に接続されたインターフェース回路３３を有しており、このインターフェース回路３３には、前記外部接続端子（出力端子）３４が接続されている。この外部接続端子３４には、例えば、撮像装置１の外部装置（例えば、ホストコンピュータ等）と通信を行うための通信用ケーブルが接続され（いずれも図示せず）、これにより、その外部装置との通信が可能な状態となる。なお、前記制御手段１１は、インターフェース回路３３を介して、外部接続端子３４に信号を出力する機能を有しており、通信用ケーブルを介して外部接続端子３４に接続された外部装置から入力される指令信号等に基づいて、所定の信号を外部に出力する。
【００６５】
また、制御手段１１には、通常撮影用ストロボ駆動回路１７およびデータシンボル読み取り用ストロボ駆動回路１９がそれぞれ接続されている。制御手段１１は、通常撮影用ストロボ駆動回路１７を介して、通常撮影用のストロボ装置の発光部１８を発光させ、また、データシンボル読み取り用ストロボ駆動回路１９を介して、データシンボル読み取り用のストロボ装置の発光部２０を発光させる。
【００６６】
前記データシンボル読み取り用のストロボ装置の発光部２０は、ＬＥＤ（発光ダイオード）で構成されているのが好ましい。そして、この発光部２０の連続点灯により近赤外光（第１の波長帯域の光）を照射するのが好ましい。
【００６７】
また、撮像装置１は、該撮像装置１から被写体までの距離（被写体距離）を測定（検出）する測距手段（検出手段）を有している。本実施形態では、外光三角方式のパッシブ方式の検出手段として、フォトダイオードのアレイで構成されたセンサであるＰＳＤ４２およびレンズ４３が２組と、測距部４１とが設けられている。測距部４１は、各ＰＳＤ４２から入力される信号に基づいて、撮像装置１から被写体までの距離を求め、その情報（測距情報）を制御手段１１へ入力（送出）する。
【００６８】
なお、被写体までの距離を検出する検出手段は、本発明では、前記のものに限らず、例えば、他の方式のパッシブ方式や、アクティブ方式のもの等であってもよい。
【００６９】
また、前記被写体までの距離の検出には、その距離そのものを求める（検出する）場合に限らず、例えば、被写体までの距離に対応する物理量を求める場合も含まれる。
【００７０】
レリーズスイッチ１２１は、２段スイッチとなっている。撮影モードにおいては、レリーズスイッチ１２１の１段目をオンすると、前記測距手段が作動し、さらに、２段目をオンすると、ＣＣＤ駆動回路２１によりＣＣＤ８が駆動して撮像（撮影）が行われる。この場合、通常撮影モードでは、通常の撮影が行われ、データシンボル読み取りモードでは、データシンボル３８の読み取りが行われる。
【００７１】
また、撮像装置１は、ＣＣＤ駆動回路２１、同期信号発生回路２２、アドレス制御回路２３、ＣＣＤ信号処理回路２４、Ａ／Ｄ変換器２５、メインメモリー２６、画像処理部２７、画像圧縮回路２８、メモリーカード制御回路２９、２値化回路３６、ＩＣメモリーカード４０を装填する装填部３０および装填部３０へのＩＣメモリーカード４０の装填を検出する検出手段３１を有している。なお、前記ＣＣＤ信号処理回路２４、Ａ／Ｄ変換器２５、画像処理部２７およびメインメモリー２６により、画像信号を生成する信号処理回路が構成されている。
【００７２】
同期信号発生回路２２では、制御手段１１から制御信号が入力され、この制御信号に基づいてクロック信号を生成し、このクロック信号に基づいて同期信号（水平同期信号および垂直同期信号等）を生成する。生成されたクロック信号および同期信号は、それぞれ、ＣＣＤ駆動回路２１と、アドレス制御回路２３に入力され、それぞれの動作に利用される。
【００７３】
アドレス制御回路２３では、同期信号発生回路２２から入力された同期信号およびクロック信号に基づいて、各種パルス信号を生成する。
【００７４】
ＣＣＤ駆動回路２１は、同期信号発生回路２２から入力される同期信号に基づいてＣＣＤ８を駆動する。
【００７５】
この場合、被写体からの可視光は、撮影レンズ６の第１のレンズ部６１では第１の膜６４で遮断され、第２のレンズ部６２では第２の膜６５を透過し、光学ローパスフィルタ７を経て、ＣＣＤ８の受光面に至る。このようにして、被写体像は、ＣＣＤ８の受光面上に結像する（図３参照）。
【００７６】
そして、通常撮影モードの場合には、レリーズスイッチ１２１の２段目がオンされると、ＣＣＤ８の各画素には、被写体像に対応する光量に応じた電荷が蓄積され、この蓄積された電荷は順次転送され、ＣＣＤ信号処理回路２４に入力される。
【００７７】
ＣＣＤ信号処理回路２４では、ＣＣＤ８から出力される信号に対し所定の信号処理を行い、撮影された被写体像のアナログ画像信号、すなわち、レッド（Ｒ）、グリーン（Ｇ）およびブルー（Ｂ）に関する原色アナログ画像信号を得る。
【００７８】
ここで、前述したようにＣＣＤ８のレッドを取り出すためのフィルタは、赤色成分および近赤外光（近赤外域の波長帯域）を透過するようになっているので、前記レッドのアナログ画像信号は、赤色成分および近赤外光に対応するものであるが、この通常の撮影では、近赤外光は、第２のレンズ６２部側においては、その第２の膜６５でカットされ、第１のレンズ部６１の狭い範囲（領域）を通過した近赤外光が多少含まれるが、実質的に影響はない。
【００７９】
この原色アナログ画像信号は、Ａ／Ｄ変換器２５によりデジタル画像信号、すなわち、レッド、グリーンおよびブルーの原色デジタル画像信号に変換され、画像処理部２７により画素補間処理等の所定のデータ処理（画像処理）がなされ、メインメモリー２６の所定のアドレスに一旦記憶される。
【００８０】
この場合、アドレス制御回路２３は、同期信号発生回路２２からの同期信号に基づき、内蔵する書き込み用アドレスカウンターを作動させて、メインメモリー２６の所定のアドレスに、各原色デジタル画像信号を書き込んでいく。
【００８１】
また、アドレス制御回路２３は、制御手段１１からのクロック信号に基づき、内蔵する読み出し用アドレスカウンターを作動させて、メインメモリー２６の所定のアドレスから各原色デジタル画像信号を読み出していく。
【００８２】
読み出された各原色デジタル画像信号は、それぞれ、メモリーカード制御回路２９に入力される。このメモリーカード制御回路２９では、制御手段１１によって制御される画像圧縮回路２８により、入力された原色デジタル画像信号を所定量に圧縮した原色デジタル画像信号を出力する。
【００８３】
装填部３０にＩＣメモリーカード４０を装填した状態で、メモリーカード制御回路２９から出力された圧縮済の原色デジタル画像信号は、コネクタを介して、ＩＣメモリーカード４０のＩＣメモリーの所定のアドレスに記憶（格納）される。以上により、撮影された画像情報のＩＣメモリーカード４０への記憶が完了する。
【００８４】
装填部３０の奥部には、ＩＣメモリーカード４０の端子と電気的に接続するコネクタが設置され、さらに、該コネクタには、コネクタとＩＣメモリーカード４０の端子とが電気的に接続されているか否かを検出する検出手段３１が設置されている。
【００８５】
また、装填部３０内には、カード搬送機構（図示せず）が設置されており、ＩＣメモリーカード４０を装填部３０から排出する際には、イジェクトスイッチ１２４の操作に伴って、前記カード搬送機構が作動し、ＩＣメモリーカード４０が排出される。
【００８６】
ＩＣメモリーカード４０は、撮像装置１により撮影された画像を記憶（記録）するための記録媒体であり、ＩＣ（Ｉｎｔｅｇｒａｔｅｄ  Ｃｉｒｃｕｉｔ）メモリーが組み込まれたカードである。このＩＣメモリーは、前述した画像信号（画像情報）を記憶する領域と、カード属性情報を記憶する領域とを有している。カード属性情報としては、例えば、ＩＣメモリーの種類（例えば、スタティックラム、フラッシュメモリー等）、ＩＣメモリーの記憶容量、アクセス速度等が挙げられる。
【００８７】
一方、データシンボル読み取りモードの場合には、レリーズスイッチ１２１の２段目がオンされると、データシンボル読み取り用ストロボ駆動回路１９が駆動し、データシンボル読み取り用のストロボ装置の発光部２０から近赤外光が発せられる。この近赤外光は、被写体（データシンボル３８）に照射され、その反射光は、撮影レンズ６の第２のレンズ部６２では第２の膜６５で遮断され、第１のレンズ部６１では第１の膜６４を透過し、光学ローパスフィルタ７を経て、ＣＣＤ８の受光面に至る。このようにして、被写体像は、ＣＣＤ８の受光面上に結像する（図３参照）。可視光は、第２のレンズ部６２を通過するが、接写状態にあるため、筐体によりその一部が遮光されるとともに、近赤外光が照射されるため、第１のレンズ部６１を通過して受光面（撮像面）に結像する画像が優勢となる。
【００８８】
そして、前記と同様に、ＣＣＤ８の各画素には、被写体像（データシンボル３８の像）に対応する光量に応じた電荷が蓄積され、この蓄積された電荷は順次転送され、ＣＣＤ信号処理回路２４に入力される。そして、前記と同様に、ＣＣＤ信号処理回路２４およびＡ／Ｄ変換器２５を経て、撮影された被写体像のレッド、グリーンおよびブルーの原色デジタル画像信号が、メインメモリー２６の所定のアドレスに一旦記憶される。
【００８９】
ここで、前述したようにＣＣＤ８のレッドを取り出すためのフィルタは、赤色成分および近赤外光（近赤外域の波長帯域）を透過するようになっているので、前記レッドのデジタル画像信号は、赤色成分および近赤外光に対応するものであるが、このデータシンボル３８の読み取りでは、赤色成分が多少含まれていても実質的に影響はない。また、説明が繁雑になるのを避けるため、「レッドのデジタル画像信号」という用語をそのまま使用して説明する。
【００９０】
次いで、アドレス制御回路２３は、制御手段１１からのクロック信号に基づき、内蔵する読み出し用アドレスカウンターを作動させて、メインメモリー２６の所定のアドレスからレッドのデジタル画像信号を読み出していく。
【００９１】
読み出されたレッドのデジタル画像信号は、２値化回路３６に入力される。この２値化回路３６では、レッドのデジタル画像信号が所定のしきい値（スレショルド値）と比較され、２値化される。これにより、２値化データ（２値化信号）が得られる。前記２値化データは、制御手段１１内のＲＡＭ３５の所定のアドレスに書き込まれる。
【００９２】
そして、制御手段１１は、前記２値化データに対して所定の画像処理を行ってデコード処理（データシンボル３８が表わす情報の解読）を行う。このデコード処理によって得られたデコードデータ（解読情報）は、ＲＡＭ３５の所定のアドレスに記憶（格納）される。なお、前記解読したデータシンボル３８が表わす情報を表示部１３で表示してもよい。
【００９３】
次に、撮像装置１の制御手段１１の制御動作（作用）について説明する。
図７および図８は、それぞれ、図１に示す撮像装置の制御手段の動作を示すフローチャートであり、図８には、データシンボルの読み取りの際の制御手段の動作を示すフローチャート（サブルーチン）が示されている。以下、このフローチャートに基づいて説明する。
【００９４】
図７に示すように、まず、レリーズスイッチ１２１の１段目がオンしたか否かを判断し（ステップＳ１０１）、レリーズスイッチ１２１の１段目がオンしたと判断した場合には、測距手段により測距を行って、被写体までの距離を検出する（ステップＳ１０２）。
【００９５】
次いで、レリーズスイッチ１２１の２段目がオンしたか否かを判断し（ステップＳ１０３）、レリーズスイッチ１２１の２段目がオンしないと判断した場合には、ステップＳ１０２に戻り、再度、ステップＳ１０２およびステップＳ１０３を実行する。
【００９６】
また、ステップＳ１０３において、レリーズスイッチ１２１の２段目がオンしたと判断した場合には、ステップＳ１０２で検出した被写体までの距離を判定し（ステップＳ１０４）、前記被写体までの距離が所定値を超えていれば、ステップＳ１０５へ進み（通常撮影モードに設定し）、前記被写体までの距離が所定値以下であれば、ステップＳ１０６へ進む（データシンボル読み取りモードに設定する）。
【００９７】
すなわち、被写体までの距離が通常の撮影に適した距離であれば、ステップＳ１０５へ進み、通常の撮影を行い、被写体までの距離がデータシンボル３８の読み取りに適した距離であれば、ステップＳ１０６へ進み、データシンボルの読み取りを行う。
【００９８】
ステップＳ１０５では、前述したように、ＣＣＤ８からＣＣＤ信号（電荷信号）を読み出し、そのＣＣＤ信号から記憶（記録）用の画像信号、すなわち、レッド（Ｒ）、グリーン（Ｇ）、ブルー（Ｂ）のデジタル画像信号を生成（信号処理）する。そして、前記レッド、グリーン、ブルーのデジタル画像信号をＩＣメモリーカード４０のＩＣメモリーの所定のアドレスへ記憶（格納）する。
【００９９】
ステップＳ１０６では、図８に示すサブルーチンがコールされ、図８に示すように、データシンボル読み取り用ストロボ駆動回路１９を駆動し、発光部２０から近赤外光を発する（ステップＳ２０１）。
【０１００】
次いで、データシンボル３８の画像を取り込む（ステップＳ２０２）。すなわち、前述したように、ＣＣＤ８からＣＣＤ信号を読み出し、そのＣＣＤ信号から、レッド、グリーン、ブルーのデジタル画像信号を生成し、これらをメインメモリー２６の所定のアドレスに記憶する（ステップＳ２０２）。
【０１０１】
次いで、メインメモリー２６の所定のアドレスからレッドのデジタル画像信号を読み出し、それを所定のしきい値（スレショルド値）と比較して２値化する（ステップＳ２０３）。これにより、２値化データ（２値化信号）が得られ、この２値化データを制御手段１１内のＲＡＭ３５の所定のアドレスに記憶する。なお、前述したように、前記レッドのデジタル画像信号は、実質的に近赤外光に対応するものである。
【０１０２】
次いで、前記２値化データに対して所定の画像処理を行ってデコード処理（データシンボル３８が表わす情報の解読）を行う（ステップＳ２０４）。
【０１０３】
次いで、前記デコード処理によって得られたデコードデータ（解読情報）をＲＡＭ３５の所定のアドレスに記憶（格納）し（ステップＳ２０５）、このサブルーチンを終了し、図７に示すメインルーチンへ戻る。なお、前記解読したデータシンボル３８が表わす情報を表示部１３で表示してもよい。
【０１０４】
前記ステップＳ１０５またはステップＳ１０６の後、撮影モードか否かを判断し（ステップＳ１０７）、撮影モードの場合には、ステップＳ１０１に戻り、再度、ステップＳ１０１以降を実行する。
一方、撮影モードでない場合には、このプログラムを終了する。
【０１０５】
以上説明したように、この撮像装置１によれば、第１のレンズ部６１と第２のレンズ部６２とを有する撮影レンズ６を備えているので、通常の撮影と、データシンボル３８の読み取りとを、それぞれ、確実に行うことができる。
【０１０６】
特に、近距離で高解像度でのデータシンボル３８の読み取りを行うことができ、これにより、読み取ることのできるデータシンボル３８のデータ量を多くすることができる。
【０１０７】
また、撮影レンズ６を移動させる機構を設ける必要がないので、構成が簡易であり、また、小型化を図ることができる。
【０１０８】
また、第１のレンズ部６１の口径を小さく（領域を小さく）することにより、第１のレンズ部６１における被写界深度を深く（広く）することができ、これによって、より確実に、データシンボル３８の読み取りを行うことができる。
【０１０９】
また、検出された被写体までの距離に応じて、自動的に、通常撮影モードと、データシンボル読み取りモードとに設定されるので、操作に手間がかからず、また、確実に、適切なモードに切り換えることができる。
【０１１０】
また、第２のレンズ部６２の口径（領域）が、第１のレンズ部６１の口径（領域）より大きいので、通常の撮影時における近赤外光の影響は、少ない（実質的にない）。
【０１１１】
また、データシンボル３８の読み取りにおいては、近赤外光の影響が大きいので、問題なくデータシンボル３８の読み取りを行うことができる。
【０１１２】
また、通常の撮影の際は、測距手段による測距によって、主被写体より近距離側に不要な被写体がないこと（図７のステップＳ１０４で「ＮＯ」）が確認されているので、撮影された主被写体の画像の画質は、良好である。
【０１１３】
なお、通常の撮影の際は、必要に応じて、中央部のＹデータレベルの調整（例えば、暗くならないようにゲインを増大する）、輪郭強調（ボケの防止）等の画像処理を行うこともできる。
【０１１４】
また、被写体までの距離を、大（第２の範囲：通常の撮影に適する距離）、中（第３の範囲）、小（第１の範囲：データシンボル３８の読み取りに適する距離）の３つの範囲に分けておき、図７のステップＳ１０４において、検出した被写体までの距離が前記３つのうちのいずれに属するかを判定し、中（第３の範囲）に属する場合には、撮影警告（例えば、通常の撮影と、データシンボル３８の読み取りとのいずれにも、被写体までの距離が不適切であることを示す表示等）を行うように構成してもよい。
【０１１５】
以上、本発明の撮像装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１１６】
また、本発明の撮像装置の用途は、特に限定されず、前記電子カメラ（デジタルカメラ）の他、例えば、カメラ付携帯電話（ＰＨＳも含む）、携帯用テレビ電話、携帯用パーソナルコンピュータ（ノート型パソコン、ＰＤＡ等）、カメラ付電子手帳等の各種携帯用電子装置（携帯用端末）に適用することができる。さらには、本発明は、例えば、ラップトップ型パーソナルコンピュータ、据え置き型テレビ電話等の、携帯に適さない電子装置にも適用することができる。
【０１１７】
【発明の効果】
以上説明したように、本発明によれば、第１のレンズ部と第２のレンズ部とを有する撮影光学系を備えているので、通常の撮影と、データシンボル（コード）の読み取りとを、それぞれ、確実に行うことができる。
【０１１８】
特に、近距離で高解像度でのデータシンボルの読み取りを行うことができ、これにより、読み取ることのできるデータシンボルのデータ量を多くすることができる。
【０１１９】
また、撮影光学系を移動させる機構を設ける必要がないので、構成が簡易であり、また、小型化を図ることができる。
【０１２０】
また、第１のレンズ部の口径を小さく（領域を小さく）することにより、第１のレンズ部における被写界深度を深く（広く）することができ、これによって、より確実に、データシンボルの読み取りを行うことができる。
【図面の簡単な説明】
【図１】本発明の撮像装置の実施形態を示す正面図である。
【図２】図１に示す撮像装置の回路構成を示すブロック図である。
【図３】図１に示す撮像装置の光学系を示す断面図である。
【図４】図１に示す撮像装置の撮影レンズに設けられる第１の膜および第２の膜の特性を示すグラフである。
【図５】図１に示す撮像装置の撮影レンズの他の構成例を示す断面図である。
【図６】データシンボルの構成例を示す平面図である。
【図７】図１に示す撮像装置の制御手段の動作を示すフローチャートである。
【図８】図１に示す撮像装置の制御手段の動作を示すフローチャート（サブルーチン）である。
【符号の説明】
１              撮像装置
２              撮影光学系
５１            基板
５２            取り付け部
５３            枠部材
５４            スペーサ
６              撮影レンズ
６０            レンズ本体
６１            第１のレンズ部
６２            第２のレンズ部
６３            保持部
６４            第１の膜
６５            第２の膜
７              光学ローパスフィルタ
８              ＣＣＤ
１０            ボディー
１１            制御手段
１２            操作部
１２１          レリーズスイッチ
１２４          イジェクトスイッチ
１３            表示部
１４            電源回路
１５            バッテリー
１６            外部電源回路
１７            通常撮影用ストロボ駆動回路
１８            発光部
１９            データシンボル読み取り用ストロボ駆動回路
２０            発光部
２１            ＣＣＤ駆動回路
２２            同期信号発生回路
２３            アドレス制御回路
２４            ＣＣＤ信号処理回路
２５            Ａ／Ｄ変換器
２６            メインメモリー
２７            画像処理部
２８            画像圧縮回路
２９            メモリーカード制御回路
３０            装填部
３１            検出手段
３２            ＥＥＰＲＯＭ
３３            インターフェース回路
３４            外部接続端子
３５            ＲＡＭ
３６            ２値化回路
３８            データシンボル
４０            ＩＣメモリーカード
４１            測距部
４２            ＰＳＤ
４３            レンズ
４４            窓部
Ｓ１０１〜Ｓ１０７  ステップ
Ｓ２０１〜Ｓ２０５  ステップ
【図１】
2005027105.tif 000003
【図２】
2005027105.tif 000004
【図３】
2005027105.tif 000005
【図４】
2005027105.tif 000006
【図５】
2005027105.tif 000007
【図６】
2005027105.tif 000008
【図７】
2005027105.tif 000009
【図８】
2005027105.tif 000010